(57)【特許請求の範囲】
【請求項１】
先端に吐出部を有し前記吐出部に湯を導く液体供給経路と、前記液体供給経路中に気体を混入させる気体供給手段と、水から温水を生成し前記液体供給経路に導く熱交換器と、前記液体供給経路と前記熱交換器とを接続する出湯管と、前記気体供給手段から気体を供給する気体供給経路と、前記出湯管と前記液体供給経路とを接続する接続部材と、前記熱交換器と前記気体供給手段と前記出湯管と前記接続部材とを内部に配設する筐体とを備え、前記接続部材に前記気体供給経路を接合することによって前記液体供給経路内に前記気体供給経路を、前記吐出部の先端近くまで挿入し、前記吐出部からは液体のみ、あるいは気体を混合させた混合液体のいずれかを吐出でき、前記液体供給経路を経て前記筐体の外部に湯を導くとともに、前記熱交換器の下流側で、かつ前記吐出部の先端近くの液体中に気体を混入する構成とした液体供給装置。
【請求項２】
少なくとも上記気体供給手段の運転を制御する制御部を備え、前記気体供給手段は制御部から運転信号に基づいて運転を開始することを特徴とする請求項１に記載の液体供給装置。
【請求項３】
気体供給手段より液体中に気体を混入していることを報知する報知手段を備えた請求項１または２記載の液体供給装置。
【請求項４】
気体供給手段は吸気側の気体導入通路を筐体の下端部近傍に下向きに開口させるとともに、排気側の気体供給経路は出湯管と液体供給経路との接続部材に水密に接合させた請求項１〜３のいずれか１項に記載の液体供給装置。
【請求項５】
気体供給手段は発砲ウレタンなどの緩衝材を巻き付け筐体に取り付けるようにした請求項１〜４のいずれか１項に記載の液体供給装置。
【請求項６】
吸気側の気体導入路の開口部にはフィルターを設けた請求項１〜５のいずれか１項に記載の液体供給装置。
【請求項７】
制御部は熱交換器と気体供給手段をそれぞれ独立して運転可能な構成とした請求項１〜６のいずれか１項に記載の液体供給装置。
【請求項８】
制御部は気体供給手段の運転形態を予め定めた運転パターンに応じて制御するようにした請求項１〜７のいずれか１項に記載の液体供給装置。
【請求項９】
吐出部をシャワーヘッドで構成したことを特徴とする請求項１〜８のいずれか１項に記載の液体供給装置。
【発明の詳細な説明】
【０００１】
【発明の属する技術分野】
本発明は給湯シャワー等に使用される液体供給装置に関するものである。
【０００２】
【従来の技術】
従来の液体供給装置の一例として電気瞬間湯沸器について、図１１、図１２、図１３を用いて説明する。まず、図１１は外観図を示したもので、１は入水管、２は流量調節つまみ、３は止水栓つまみ、４は湯温調節つまみ、５はシャワーホース、６はシャワーヘッドを示し、入水管１から本体内に通水されシャワーホース５を介してシャワーヘッド６から出湯する構成としてある。
【０００３】
図１２は湯沸器本体内の詳細な構成図で、図１３は液体供給経路の系統図を示すシステム図である。この図１２、図１３を参照しながら本体構成を説明する。図１３に示すように、入水管１から流入された水は、流量調節弁７、流量検出器８、止水栓９を経て加熱ヒータ１０を有するタンク１１内で加熱され、出湯管１２に接続されたシャワーホース５を介してシャワーヘッド６より流出する。このときの湯温は水温と流量により加熱ヒータ１０の発熱量を調節することで得ることができる。快適なシャワー湯温を得るために湯温調節ボリューム１３で予め好みのシャワー湯温に調節し、タンク１１の湯温を検出するサーミスタ１７と湯温調節ボリューム１３の各抵抗を制御回路１６により抵抗値比較をして加熱ヒータ１０の通電率を制御し、お好みのシャワー湯温に調節する構成としてある。なお、湯温調節ボリューム１３をＯＦＦ位置にすると水シャワーとしても使用できる構成としてある。また、タンク１１には異常時の加熱を防止する保安器１４が設けられている。止水栓つまみ３は制御回路１６のＯＮ／ＯＦＦと止水栓９と連動し、止水栓つまみ３を押しＯＮ状態にすると止水栓９が開き入水管１からの通水を開始する。通水と同時に流量検出器８がＯＮして制御回路１６に信号を送信し、上記加熱ヒータ１０の加熱動作開始により適温の湯水がシャワーヘッド６より出湯する構成としたものであった。つまり、一般的な電気瞬間湯沸器においては気体を混入して出湯するというものはなく、湯水のみ出湯するというものであった。
【０００４】
また、特殊な用途のシャワー装置等においては、特開昭６３−２９４８１６号公報にも開示されているように、シャワー用の湯水を貯蔵するタンクと、該タンク内の湯水を加熱する装置と、該タンク内の湯水をシャワー口に供給するポンプと、圧縮気体をシャワー口に供給するブロアーと、前記ポンプ及びブロアーから供給される湯水と圧縮気体とを合流して放出するシャワー口とから構成されたものがある。
【０００５】
【発明が解決しようとする課題】
しかしながら、上記従来の気体を混入させる手段を有さない電気瞬間湯沸器等においては、入水管から供給される水量が少ないシャワー出湯では、十分な洗浄効果が得られず長時間シャワーを浴びる必要がある。さらに、シャワーヘッドからの噴出圧力も低いため、快適なシャワー感覚を確保するという点でも劣るものであった。
【０００６】
また、従来の気体を混入して噴出するシャワー装置においては、湯水と気体の混合をシャワー口で行う構成としたものであり、このような構成では湯水と気体が均一に混合しにくく、快適なシャワー感覚が得られるとは言い難いものであった。また、用途に応じて湯水単独出湯と気体混入出湯を切り換える構成を有するものでもなく、使い勝手の面でも課題を有するものであった。
【０００７】
本発明は上記課題を解決するもので、十分な洗浄効果を短時間に得るとともに、気体圧によりシャワーヘッド等の吐出部からの噴出圧を上昇して血行を促進させるマッサージ効果を得ることができる気体供給手段を搭載し、お湯に気体を混入させた出湯と、お湯のみの出湯を選択できるようにして使い勝手のよい液体供給装置を提供することを目的としている。
【０００８】
【課題を解決するための手段】
本発明は、上記課題を解決するために、吐出部を有する液体供給経路と、この液体供給経路中に気体を混入させる気体供給手段とを備え、前記気体供給手段からの気体は液体の吐出部より上流側で液体中に混合させるようにするとともに、吐出部からは液体のみ、あるいは気体を混合させた混合液体のいずれかを吐出できる構成としている。
【０００９】
上記発明によれば、気体を混合させた混合液体を吐出する場合においては、液体供給経路の吐出部の上流側の液体中より気体を混入させるようにしているため、液体と気体の混合が極めて均一な状態で吐出されることになり、気体を混入させる効果が顕著なものとなる。つまり、少ない出湯量でも十分な洗浄効果が得られる省水効果と、低い出湯圧でも気体圧がプラスされることにより出湯圧を上昇させて、快適なシャワー感覚を確保するとともに、マッサージ効果も期待できるというものである。
【００１０】
また、吐出部からは液体のみ、あるいは気体を混合させた混合液体のいずれかが出湯できるようにしているため、用途に応じて使い分けができ、使い勝手を極めて向上させるものである。
【００１１】
【発明の実施の形態】
請求項１の液体供給装置は、先端に吐出部を有し前記吐出部に湯を導く液体供給経路と、前記液体供給経路中に気体を混入させる気体供給手段と、水から温水を生成し前記液体供給経路に導く熱交換器と、前記液体供給経路と前記熱交換器とを接続する出湯管と、前記気体供給手段から気体を供給する気体供給経路と、前記出湯管と前記液体供給経路とを接続する接続部材と、前記熱交換器と前記気体供給手段と前記出湯管と前記接続部材とを内部に配設する筐体とを備え、前記接続部材に前記気体供給経路を接合することによって前記液体供給経路内に前記気体供給経路を、前記吐出部の先端近くまで挿入し、前記吐出部からは液体のみ、あるいは気体を混合させた混合液体のいずれかを吐出でき、前記液体供給経路を経て前記筐体の外部に湯を導くとともに、前記熱交換器の下流側で、かつ前記吐出部の先端近くの液体中に気体を混入する構成としている。
【００１２】
そして、気体を混合させた混合液体を吐出する場合においては、液体供給経路の吐出部の上流側の液体中より気体を混入させるようにしているため、液体と気体の混合が極めて均一な状態で吐出されることになり、気体を混入させる効果が顕著なものとなる。つまり、少ない出湯量でも十分な洗浄効果が得られる省水効果と、低い出湯圧でもエアー圧がプラスされることにより出湯圧を上昇させて、快適なシャワー感覚を確保するとともに、マッサージ効果も期待できるというものである。
【００１３】
また、吐出部からは液体のみ、あるいは気体を混合させた混合液体のいずれかが出湯できるようにしているため、用途に応じて使い分けができ、使い勝手を極めて向上させるものである。
【００１４】
さらに、加熱手段を有する熱交換器の下流側の液体中に気体を混入することで、熱交換器内での気体の膨張を抑え、均一な気泡を液体中に形成することができ、気体混入の効果を向上させることができる。
【００１５】
さらに、筐体から導出される経路は、液体供給経路内に気体供給経路が挿入されているため１本となり、構成の簡素化を図ることができる。
【００１６】
また、請求項２の液体供給装置は、少なくとも上記気体供給手段の運転を制御する制御部とを備え、前記気体供給手段は制御部から運転信号に基づいて運転を開始している。
【００１７】
そして、気体供給装置の運転を制御部からの信号に基づき制御することで、吐出部からの出湯形態を容易に、かつ確実に切り換えることが可能となり、操作性がよく、信頼性の高い液体供給装置を提供することができる。
【００１８】
また、請求項３の液体供給装置は、気体供給手段より液体中に気体を混入していることを報知する報知手段を備えた構成としている。
【００１９】
そして、吐出部からの出湯形態を報知することで、使い勝手の向上を図ることができる。また、請求項４の液体供給装置は、気体供給手段の吸気側の気体導入通路を筐体の下端部近傍に下向きに開口させるとともに、排気側は気体供給経路を介して出湯管とシャワーホースとの接続部材に水密に接合させるようにしている。
【００２０】
そして、気体供給手段の気体吸引用開口部を筐体の下端部近傍に下向きに設けるようにして、万一、気体供給手段内の閉止弁が故障した場合に液体が気体供給経路を逆流してきても前記気体吸引用開口部より筐体外に排出できるようにして、制御部を含む電装部品に逆流した液体がかからないようにし、安全性を確保することができる。
【００２１】
また、請求項５の液体供給装置は、気体供給手段に発泡ウレタンなどの緩衝材を巻き付け筐体に取り付けるようにしている。
【００２２】
そして、気体供給手段の運転時の騒音と振動を抑制し、快適な使用感を確保することができる。
【００２３】
また、請求項６の液体供給装置は、気体吸引用開口部にはフィルターを設けてある。
【００２４】
そして、気体供給手段から液体中への気体の混入時にゴミの侵入を防止するようにして、清潔な液体の出湯を確保することができる。
【００２５】
また、請求項７の液体供給装置は、制御部は熱交換器と気体供給手段をそれぞれ独立して運転可能な構成としている。
【００２６】
そして、吐出部からは液体のみ、あるいは気体を混合させた混合液体のいずれかが出湯できるとともに、前記液体も熱交換した状態、あるいは熱交換しない状態で供給でき、用途に応じて使い勝手の向上が図れる。
【００２７】
また、請求項８の液体供給装置は、制御部は気体供給手段の運転形態を予め定めた運転パターンに応じて制御するようにしている。
【００２８】
そして、液体中への気体の混入状態を各種設定し、好みに応じて任意に選択できるようにして、使い勝手と使用感の向上が図れる。
【００２９】
また、請求項９の液体供給装置は、吐出部をシャワーヘッドにより構成している。
【００３０】
そして、少ない出湯量でも十分な洗浄効果が得られる省水効果と、低い出湯圧でも気体圧がプラスされることにより出湯圧を上昇させて、快適なシャワー感覚を確保するととも
に、マッサージ効果も期待できるようにしたシャワー装置を提供することができる。
【００３１】
【実施例】
以下、本発明の実施例について図面を用いて説明する。
【００３２】
（実施例１）
図１は本発明の実施例１の電気瞬間湯沸器の外観図、図２は電気瞬間湯沸器の内部の構成図、図３はシステム図を示したものである。
【００３３】
図１において、１８は液体供給経路へ液体を導入する入水管、１９は前記液体供給経路を流れる液体の流量を設定する流量調節手段となる流量調節つまみ、２０は止水操作用の止水栓つまみ、２１は出湯温度を設定するための湯温調節つまみ、２２は気体供給手段の運転操作を行うためのエアーバブルスイッチ、２３は液体供給経路を流れる液体を吐出部に導くシャワーホース、２４は吐出部となるシャワーヘッドを示し、シャワーヘッド２４から吐出する液体、例えばお湯２５に気体、例えば空気２６を混入して噴出する。
【００３４】
次に、図２、図３を参照しながら詳細な構成について説明するが、以後は液体に混入させる気体を空気を例にして説明する。
【００３５】
２７は入水管１８に連なる液体供給経路、２７ａは液体供給経路２７の入口側に設けられ、前記流量調節つまみ１９の操作に応じて流量を調節する流量調節弁、２８は流量を検出する検出器、２９は止水栓つまみ２０の操作に連動して作動する止水栓、３０は湯温調節部、３１は液体供給経路２７の途中で熱交換器３１ａを形成するタンクで、内部に熱源となる加熱ヒータ３６を有し、入水管１８より供給される水を加熱し、湯温調節部３０で設定した湯温に昇温する。３２は制御部で、操作スイッチや検出信号に基づき湯温制御及び気体供給手段の運転制御を行い、前記気体供給手段の運転時は報知手段４７に信号を供給して運転状態を報知するようにしている。３３は前記タンク３１内に設けた液体温度検出手段となるサーミスタ、３４は液体中に混入させる気体を供給する気体供給手段であるエアーポンプで、図２に示すように全周を緩衝材３４ａで巻き付けて湯沸量筐体５０に取り付けるようにしている。３５は前記エアーポンプ３４の排気側に接続した気体供給経路となるエアーホースで、エアーポンプ３４より排出される気体を液体供給経路２７の接合部まで導く。４８は前記エアーポンプ３４の吸気側に接続した気体導入通路となる吸気ホースで、吸気用の開口部を筐体５０の下端部近傍に配するようにし、開口部にはフィルター４９を設けている。
【００３６】
以上のように、筐体５０内に収納して構成された電気瞬間湯沸器において、その動作を説明すると、入水管１８から導入された水は流量調節弁２７ａ、流量検出器２８、止水栓２９を経て加熱ヒータ３６を有するタンク３１に供給され、ここで加熱されて出湯管３７に接続されたシャワーホース２３を介してシャワーヘッド２４より出湯する。
【００３７】
このときのシャワー湯温は水温と流量により加熱ヒータ３６の発熱量を調節することで得ることができる。快適なシャワー湯温を得るために湯温調節つまみ２１で予め好みのシャワー湯温に調節し、タンク３１の湯温を検知するサーミスタ３３と湯温調節部３０の各抵抗値を制御部３２により比較して加熱ヒータ３６の例えば通電率あるいは通電ＯＮ、ＯＦＦを制御し、お好みのシャワー湯温に調節する。
【００３８】
なお、タンク３１には異常時の加熱を防止する保安器３８が設けられており、異常に温度が上昇すると加熱ヒータ３６への通電を遮断する。
【００３９】
また、タンク３１の出口側に接続された出湯管３７とお湯をシャワーヘッド２４まで導
くシャワーホース２３間は接続部材４６で接合し、この接合部材４６の適所に前記エアーポンプ３４の出口部３９に接続されたエアーホース３５を水密に接合し、さらにエアーホース３５はシャワーホース２３の中を通してシャワーヘッド２４の先端近くまで挿入している。そして、このシャワーヘッド２４の先端近くの液体中にエアーポンプ３４より供給された気体を混入するようにして、均一な混合状態を確保するようにしている。
【００４０】
次に操作手順に従って説明していくと、まず、止水栓つまみ２０を押して止水栓２９をＯＮすると出湯が開始され、さらにエアーバブルスイッチ２２を押してＯＮ状態にすると制御部３２によりエアーポンプ３４が動作を開始して気体の供給が行われる。そして、上記したように液体中に気体が混入されシャワーヘッド２４からお湯２５にエアー２６が混入した状態で噴出する。
【００４１】
図４は給水の一次圧力Ｐに対して水量Ｑ１とエアー量Ｑ２を示したもので、４０は水量域Ｑ１を示し、４１はエアー量域Ｑ２を示す。そして、シャワーヘッド２４から出湯する合成流量４２は前記水量域Ｑ１にエアー量域Ｑ２を加えた量域となる。例えば、給水の一次圧力がＰａの場合、水量はＱａであり、お湯のみ出湯する場合は、少ない流量でしか出湯することができず、シャワー使用時においては洗浄能力も低下し、シャワー感としても物足りなさを感じるものである。しかし、気体を混入した場合はエアー量のＱｂが加わるため合成流量としてＱａ＋Ｑｂが確保でき、お湯のみ出湯する場合の一次圧力Ｐｂに相当する水量Ｑｃと同等の効果が得られるもので、少ない流量でも洗浄能力を向上し、快適なシャワー感覚を確保できるようになる。
【００４２】
また、図５は出湯水量Ｑに対して水圧Ｐ１とエアー圧Ｐ２を示したもので、４３は水圧域Ｐ１を示し、４４はエアー圧Ｐ２を示す。そして、シャワーヘッド２４から出湯する合成圧力４５は前記水圧域Ｐ１にエアー圧Ｐ２を加えた圧力域となる。そして、上記流量の場合と同様に低い水圧の出湯時でも気体を混入させることで、シャワーヘッド２４からの噴出圧を上昇させることができ、快適なシャワー感覚を確保することができる。
【００４３】
更に、液体中に気体が混入しているのでこの気体によって生じる気泡がはじけるときの作用によって洗浄効果も一段と向上する。
【００４４】
次に、エアーバブルスイッチ２２を再度押してＯＦＦ状態にすると、制御部３２はエアーポンプ３４の動作を停止するように作用して、液体中への気体の混入を停止する。そして、シャワーヘッド２４からはお湯のみが出湯される状態となり、従来のような使い方も可能となる。
【００４５】
さらに、エアーバブルスイッチ２２をＯＮ状態として、湯温調節部３０をＯＦＦの状態にすると、加熱ヒータ３６への通電を停止した状態でシャワーヘッド２４から気体が混入された水が出湯される。つまり、気体混入の水シャワーとしても使用することができる。
【００４６】
以上のように、本実施例１は吐出部を形成するシャワーヘッド２４の上流側より液体中に気体供給手段であるエアーポンプ３４により気体を混入させるようにするとともに、吐出部からは液体、例えば湯水のみ、あるいは気体を混入した混合液体、例えば混合湯のいずれかを吐出できるようにしているため、液体と気体が極めて均一な混合状態で吐出されることになり、気体を混入させる効果が顕著なものとなる。つまり、少ない出湯量でも十分な洗浄効果が得られる省水効果と、低い出湯圧でもエアー圧がプラスされることにより出湯圧を上昇させて、快適なシャワー感覚を確保するとともに、マッサージ効果も期待できるというものである。
【００４７】
さらに、用途に応じて使い分けができ、加えて液体中に空気を混入していることを報知
する報知手段を備えているので、筐体とシャワーヘッド２４とが離れていても筐体側で使用状況を容易に知ることができ、或いはエアーポンプの故障等のトラブルを確認することができ、使い勝手が極めて向上する。
【００４８】
また、この実施例１はエアーホース３５は接続部材４６から導出したシャワーホース２３内を通してシャワーヘッド２４とシャワーホース２３との接続部まで導いて開口させているので、筐体５０から導出されるホースは１本となり、構成の簡素化を図ることができる。
【００４９】
更に、気体供給手段であるエアーポンプ３４からの気体供給経路となるエアーホース３５先端の気体吸引用開口部を、筐体５０の制御部等の電装部品より下方となる下端部近傍に下向きに開口させているので、万一、エアーポンプ３４内の逆止弁等の閉止弁が故障した場合に液体がエアーホース３５を介して逆流してきても前記気体吸引用開口部より筐体外に排出でき、制御部を含む電装部品に逆流した液体がかからず、安全性を確保することができる。また上記エアーホース３５の気体吸引用開口部にはフィルター４９を設けているので、気体吸引時にゴミを除去することができ、その結果液体中にゴミが侵入するのを防止して、清潔な液体の出湯を確保することができる。
【００５０】
また、エアーポンプ３４はその全周を発泡ウレタンなどの緩衝剤３４ａを装着して筐体５０に取り付けているので、エアーポンプ３４の運転時の騒音と振動を抑制し、快適な使用感の確保と振動により各接続部分がゆるんで支障を来すというようなことも防止できる。
【００５１】
（実施例２）
図６は本発明の実施例２の電気瞬間湯沸器のシステム図を示すものである。
【００５２】
実施例１と同一部品は同一番号を付与して説明を省略する。
【００５３】
実施例２は気体供給手段であるエアーポンプ３４からの気体を熱交換器３１ａの上流側の液体中に混入させるようにしたもので、図６において、エアーポンプ３４の排気側に接続したエアーホース３５を熱交換器３１ａを形成するタンク３１の上流側の液体供給経路２７に水密に接合し、この液体中にエアーポンプ３４より供給される気体を混入するようにしている。
【００５４】
これにより、低温の液体供給経路２７で気体混入用の接合部を形成することが可能となるため、耐熱性を考慮した接合部材を使用する必要もなく、シール性能の確保も比較的簡素化できるため、構成の簡素化とコストの低減が図れるものである。
【００５５】
（実施例３）
図７は本発明の実施例３の電気瞬間湯沸器のシステム図を示すものである。
【００５６】
実施例１と同一部品は同一番号を付与して説明を省略する。
【００５７】
実施例３は気体供給手段であるエアーポンプ３４からの気体を熱交換器３１ａの下流側の液体中に混入させるようにしたもので、図７において、エアーポンプ３４の排気側に接続したエアーホース３５を出湯管３７とシャワーホース２３を接合する接合部材４６に水密に接合し、この液体中に気体供給手段３４より供給される気体を混入するようにしている。
【００５８】
上記のような構成とすることで、熱交換器内での気体の膨張を抑え、均一な気泡を液体中に形成することができ、気体混入の効果を向上させることができる。
【００５９】
（実施例４）
図８は本発明の実施例４の電気瞬間湯沸器のシステム図を示すものである。
【００６０】
実施例１と同一部品は同一番号を付与して説明を省略する。
【００６１】
実施例４は気体供給手段であるエアーポンプ３４の運転形態を予め定めた運転パターンに応じて制御するようにしたもので、エアーバブルスイッチ２２がＯＮ状態にあるとき、選択スイッチ５１によりエアーポンプ３４の運転形態を予め定めた運転パターン、例えば間欠運転制御３２ａ、強弱運転制御３２ｂ、１／ｆ運転制御３２ｃから選択できるようにして、液体中への気体の混入状態を変化させ、好みに応じたシャワー出湯を提供するようにしたものである。
【００６２】
（実施例５）
図９は本発明の実施例５の電気瞬間湯沸器のシステム図を示すものである。
【００６３】
実施例１と同一部品は同一番号を付与して説明を省略する。
【００６４】
実施例５は液体供給経路２７を流れる液体の流量が予め定めた範囲内において気体供給手段であるエアーポンプ３４の運転を可能としたもので、流量検出器２８からの信号と予め定めた値を制御回路３２で比較し、予め定めた値のときにエアーバブルスイッチ２２がＯＮ状態になれば、エアーポンプ３４を動作させて液体中に気体を混入させる。
【００６５】
上記のような構成とすることで、気体混入の効果が期待される低流量側の予め定めた範囲内においてエアーポンプ３４を運転可能状態として、効率的な気体混入出湯を確保するとともに、流量が多い場合等、不必要な条件での気体混入出湯を規制するようにしている。
【００６６】
（実施例６）
図１０は本発明の実施例６の電気瞬間湯沸器のシステム図を示すものである。
【００６７】
実施例１と同一部品は同一番号を付与して説明を省略する。
【００６８】
前記各実施例においは液体中に気体を混入させる手段として気体そのものを供給する気体供給手段で説明したが、この実施例では液体中に気体を混入させる手段として例えば水等と反応して炭酸ガスを発生させる炭酸生成組成固形物等の気体生成物供給手段６０を用いたものであり、吐出圧の効果は期待できないものの省水効果は得られるものである。
【００６９】
なお、上記各実施例において気体供給手段で供給する気体として空気を例にしたが、これは炭酸ガス或いは炭酸ガスと空気との混合気体或いはその他の気体であってもよく、炭酸数巣の場合は血行促進効果が期待できるものである。
【００７０】
また気体供給手段或いは気体生成物供給手段は筐体内に納めたもので説明したが、これは筐体外に筐体とは別に設けて液体供給経路に接続するようにしてもよく、またその接続形態も実施例の形態に限られるものではなく、例えば筐体の入水管に接続する上流側の給水本管等であってもよく、要は吐出部よりも上流側であれば筐体内外のいずれであってもよいものであり、そして液体供給系路は吐出部よりも上流側の全てを示すものである。
【００７１】
更に上記各実施例では電気瞬間湯沸器のシャワー装置を例にして説明したが、電気はも
ちろんガス、石油等を熱源とした瞬間型ではない通常の湯沸器のシャワー装置であってもよく、またシャワー装置ではなく水や温水等を吐出する液体供給装置であればどのようなものであっても良いものである。
【００７２】
【発明の効果】
以上のように、気体を混合させた混合液体を吐出する場合においては、液体供給経路の吐出部の上流側の液体中より気体を混入させるようにしているため、液体と気体が極めて均一な混合状態で吐出されることになり、気体を混入させる効果が顕著なものとなる。つまり、少ない出湯量でも十分な洗浄効果が得られる省水効果と、低い出湯圧でも気体圧がプラスされることにより出湯圧を上昇させて、快適なシャワー感覚を確保するとともに、マッサージ効果も期待できる。
【００７３】
また、吐出部からは液体のみ、あるいは気体を混合させた混合液体のいずれかが出湯できるようにしているため、用途に応じて使い分けができ、使い勝手を極めて向上させることができる。
【図面の簡単な説明】
【図１】  本発明の実施例１における液体供給装置の外観図
【図２】  同装置の構成図
【図３】  同装置のシステム図
【図４】  同装置の圧力に対する流量特性を示す図
【図５】  同装置の流量に対する圧力特性を示す図
【図６】  本発明の実施例２における液体供給装置のシステム図
【図７】  本発明の実施例３における液体供給装置のシステム図
【図８】  本発明の実施例４における液体供給装置のシステム図
【図９】  本発明の実施例５における液体供給装置のシステム図
【図１０】  本発明の実施例６における液体供給装置のシステム図
【図１１】  従来の液体供給装置の外観図
【図１２】  従来の液体供給装置の本体構成図
【図１３】  従来の液体供給装置のシステム図
【符号の説明】
１８  入水管
２３  液体供給経路（シャワーホース）
２４  吐出部（シャワーヘッド）
２７  液体供給経路
２８  流量検出器
２９  止水栓
３０  湯温調節ボリューム
３１  タンク
３１ａ  熱交換器
３２  制御部
３４  気体供給手段（エアーポンプ）
３５  気体供給経路（エアーホース）
３６  加熱ヒータ
３７  出湯管
４６  接続部材
４７  報知手段
４８  気体導入通路（吸気ホース）
４９  フィルター
５０  筐体
【図１】
0004003293.tif 000002
【図２】
0004003293.tif 000003
【図３】
0004003293.tif 000004
【図４】
0004003293.tif 000005
【図５】
0004003293.tif 000006
【図６】
0004003293.tif 000007
【図７】
0004003293.tif 000008
【図８】
0004003293.tif 000009
【図９】
0004003293.tif 000010
【図１０】
0004003293.tif 000011
【図１１】
0004003293.tif 000012
【図１２】
0004003293.tif 000013
【図１３】
0004003293.tif 000014